(57)【特許請求の範囲】
【請求項１】
表層にバンチ巻部を有する巻糸体をボビンホルダに装着し、該ボビンホルダに装着した巻糸体のバンチ巻部から延長する糸端が、ボビン側に垂れ落ちた状態または垂れ落ちてボビン端部に巻き付いた状態になっている該巻糸体を回転させながら巻糸体の外周近傍に配置した吸引ノズルから吸引を開始すると共に、パッケージ全幅にわたって分布して配された噴射ノズルから該巻糸体表層に回転方向と逆方向に圧縮空気を吹き付けて前記バンチ巻部の糸条をループ状に剥離させ、該ループ状に剥離した糸条を前記吸引ノズルに吸引することにより、見掛け上前記バンチ巻部から引き出される糸条と巻糸体のボビン端部から延長する糸条との少なくとも２糸条を引込んだ状態にし、これら糸条のうち前記バンチ巻部から引き出される糸条以外の糸条を切断すると共に、該バンチ巻部の糸条を剥脱することを特徴とする巻糸体の表面処理方法。
【請求項２】
表層にバンチ巻部を有する巻糸体をボビンホルダに装着し、該ボビンホルダに装着した巻糸体のバンチ巻部から延長する糸端が、ボビン側に垂れ落ちた状態または垂れ落ちてボビン端部に巻き付いた状態になっている該巻糸体を回転させながら巻糸体の外周近傍に配置した吸引ノズルから吸引を開始すると共に、該巻糸体表層に回転方向と逆方向に圧縮空気を吹き付けて前記バンチ巻部の糸条をループ状に剥離させ、該ループ状に剥離した糸条を前記吸引ノズルに吸引することにより、見掛け上前記バンチ巻部から引き出される糸条と巻糸体のボビン端部から延長する糸条との少なくとも２糸条を引込んだ状態にし、これら糸条のうち前記バンチ巻部から引き出される糸条以外の糸条を、吸引ノズルの側部に設けられかつ吸引口の上方を横切るように往復回動するカッターにより切断すると共に、該バンチ巻部の糸条を剥脱することを特徴とする巻糸体の表面処理方法。
【発明の詳細な説明】
【０００１】
【発明の属する技術分野】
本発明はパッケージ、チーズ、パーン等の巻糸体の表面処理方法に関する。
【０００２】
【従来の技術】
レボルビング式糸条巻取機のように、糸条が満巻になったボビンから空ボビンへ連続的に糸切換えて得られたパッケージは、その糸切換中に連続供給される糸条が満巻パッケージ上の１箇所にバンチ巻きされている。このように巻かれたバンチ巻部の糸条はパッケージ本体の糸質とは異なっているため、出荷前に剥脱して、正常な糸質の糸端を糸層表面に出すようにしている。このようにバンチ巻部を剥脱して正常な糸端を出す処理を「表面処理」と称している。
【０００３】
本出願人は、パッケージの表面処理において糸端を自動糸出しする方法として、先に特開平６−１１５８１６号公報により、パッケージ表面にエアを吹きつけて糸端を浮上させ、その浮上した糸端を吸引ノズルに吸い込ませるようにした方法を提案した。しかし、パッケージのバンチ巻部の糸端は、常にパッケージ表層に存在するとは限らず、巻取機での糸切換直後或いはパッケージ移送中に受ける外乱などによりパッケージ側面へ垂れ糸になったり、或いはパッケージ側面のボビン端部に巻き付いた状態になったりしていることがある。
【０００４】
上述した従来提案の方法は、バンチ巻部の糸端がパッケージ表層にある場合には確実に実施することができるが、上記のように糸端がパッケージ表層に存在していない場合は、殆ど適切な糸端の糸出しをすることが不可能であった。
【０００５】
【発明が解決しようとする課題】
本発明の目的は、上述のように巻糸体（パッケージ）の糸端が糸層上に存在しない不完全状態になっていても、容易に糸出しをすることができる巻糸体の表面処理方法を提供することにある。
【０００６】
【課題を解決するための手段】
上記目的を達成する本発明による巻糸体の表面処理方法は、まず第１の方法として、表層にバンチ巻部を有する巻糸体をボビンホルダに装着し、該ボビンホルダに装着した巻糸体のバンチ巻部から延長する糸端が、ボビン側に垂れ落ちた状態または垂れ落ちてボビン端部に巻き付いた状態になっている該巻糸体を回転させながら巻糸体の外周近傍に配置した吸引ノズルから吸引を開始すると共に、パッケージ全幅にわたって分布して配された噴射ノズルから該巻糸体表層に回転方向と逆方向に圧縮空気を吹き付けて前記バンチ巻部の糸条をループ状に剥離させ、該ループ状に剥離した糸条を前記吸引ノズルに吸引することにより、見掛け上前記バンチ巻部から引き出される糸条と巻糸体のボビン端部から延長する糸条との少なくとも２糸条を引込んだ状態にし、これら糸条のうち前記バンチ巻部から引き出される糸条以外の糸条を切断すると共に、該バンチ巻部の糸条を剥脱することを特徴とするものである。
また、あるいは、上記目的を達成する本発明による巻糸体の表面処理方法は、その第２の方法として、表層にバンチ巻部を有する巻糸体をボビンホルダに装着し、該ボビンホルダに装着した巻糸体のバンチ巻部から延長する糸端が、ボビン側に垂れ落ちた状態または垂れ落ちてボビン端部に巻き付いた状態になっている該巻糸体を回転させながら巻糸体の外周近傍に配置した吸引ノズルから吸引を開始すると共に、該巻糸体表層に回転方向と逆方向に圧縮空気を吹き付けて前記バンチ巻部の糸条をループ状に剥離させ、該ループ状に剥離した糸条を前記吸引ノズルに吸引することにより、見掛け上前記バンチ巻部から引き出される糸条と巻糸体のボビン端部から延長する糸条との少なくとも２糸条を引込んだ状態にし、これら糸条のうち前記バンチ巻部から引き出される糸条以外の糸条を、吸引ノズルの側部に設けられかつ吸引口の上方を横切るように往復回動するカッターにより切断すると共に、該バンチ巻部の糸条を剥脱することを特徴とするものである。
【０００７】
このように巻糸体を回転させながら、その巻糸体表層に回転方向とは逆方向に圧縮空気を吹き付けると、たとえ糸端が巻糸体の側面に垂れていたり、或いはボビンに巻き付いていたとしても、バンチ巻部における糸条がループ状に弛んで状態になって引き出される。したがって、このループ状に引き出された糸条を吸引ノズルに吸い込みながら、複数本になって吸い込まれる糸条のうち、側面に垂れた側の糸条やボビンに巻き付いた側の糸条だけを切断すれば、表層側に巻かれた正常な糸端を取り出すことができる。
【０００８】
上述した本発明の巻糸体の表面処理方法を実施する上で好適な表面処理装置は、回転駆動可能なボビンホルダを設けると共に、該ボビンホルダに装着した巻糸体の外周近傍に、吸引ノズルと、パッケージ全幅にわたって分布するように配された巻糸体表層に圧縮空気を吹きつける噴射ノズルと、該噴射ノズルの吹きつけ方向を前記ボビンホルダの回転方向とは逆方向に設定する手段と、前記吸引ノズルの側部に、吸引口の上方を横切るように往復回動するカッターを設けた構成としたものである。
【０００９】
【発明の実施の形態】
以下、図に示す実施例を参照して本発明を具体的に説明する。
図１および図２は本発明の実施例からなる表面処理装置を示す。
図において、ボビンホルダ１は架台２に支持され、かつ架台２内に設けたモータ３によりベルト４を介して矢印方向Ｒ（図２参照）に回転駆動されるようになっている。このボビンホルダ１には、ボビン５上に満巻にされたパッケージＰが直列に２個装着されるようになっている。また、パッケージＰの表層には糸切換時に巻き付けられたバンチ巻部Ｂが形成されている。
【００１０】
架台２の上部には圧空供給管６がボビンホルダ１と平行に取り付けられ、パッケージＰの上方に延在している。圧空供給管６には多数の噴射ノズル７が設けられ、パッケージＰの全幅にわたって分布するようになっている。噴射ノズル７から噴射する圧縮空気の噴射方向Ｊは、パッケージＰの回転方向Ｒとは逆方向で、かつパッケージ表層に対して略接線方向に向くようになっている。また、圧空供給管６は、パッケージＰの表層に向けて近づけたり、遠ざけたりするように調節自在になっている。
【００１１】
また、架台２の下部には、各パッケージＰ，Ｐの下方側に対応するように吸引ノズル８，８が設けられ、それぞれダクト９，９を介して負圧源（図示せず）に連結されている。これら吸引ノズル８，８の吸引口８ａ，８ａはバンチ巻部Ｂ，Ｂに対向するようにしてある。また、吸引ノズル８の側部には熱線式のカッター１０が設けられ、図２に示すように吸引口８ａの上方を横切るように往復回動するようになっており、この回動により吸引口８ａに吸引中の糸条を切断（溶断）するようになっている。
【００１２】
上述した本発明の装置による満巻パッケージの表面処理は、次のようにして行われる。
図３は、パッケージ側面に垂れた糸がボビンに巻き付いた状態になったパッケージを表面処理する工程を工程順に示す。
まず、図３(A) のように、糸端Ｙｅがボビン５に巻き付いたパッケージＰをボビンホルダ１に装着し、このボビンホルダ１の駆動によりパッケージＰを矢印Ｒ方向に微速回転させると共に、吸引ノズル８が吸引を開始する。
【００１３】
次いで、図３(B) のように、圧空供給管６の噴射ノズル７から圧縮空気を矢印ＪのようにパッケージＰの回転方向と逆方向に、かつパッケージＰの表層の略接線方向に向けて噴射する。この圧縮空気の噴射によりパッケージ表層のバンチ巻部Ｂの糸条が剥離してループ状になるので、このループ状に弛緩した糸条ＹL が吸引ノズル８に吸引され、図３(C) の状態になる。
【００１４】
この図３(C) の状態では、吸引ノズル８に吸引されているループ状の糸条ＹL は、見掛け上、ボビン５と吸引ノズル８との間を走行する糸条Ｙb と表層のバンチ巻部Ｂと吸引ノズル８との間を走行する糸条Ｙa との２本の糸条が吸引されているように見える。
この図３(C) の状態において、図３(D) のようにカッター１０を回動させて、ボビン５と吸引ノズル８との間を走行する糸条Ｙb だけを切断（溶断）し、バンチ巻部Ｂと吸引ノズル８との間を走行する糸条Ｙa を引き続き吸引ノズル８に吸引する。すなわち、図３(E) のように、パッケージＰを矢印Ｒ方向に回転させながら糸条Ｙa を吸引し続けることによりバンチ巻部Ｂが剥脱される。そして、全てのバンチ巻部Ｂが剥脱された最後に正常な糸質の糸端が顕れる。
【００１５】
このように正常な糸質の糸端が顕れたところで、再びカッター１０を回動させて糸条Ｙa を切断すれば、正常な糸端を表層に有する製品パッケージを得ることができきる。
図４は、パッケージ側面に垂れた糸がボビン上に固定されていない状態のパッケージを表面処理する工程を示すものである。
【００１６】
非固定状態の糸端Ｙｅが垂れたパッケージＰを、前記と同様にボビンホルダ１に装着し、このボビンホルダ１を矢印Ｒ方向に微速回転させると共に、吸引ノズル８から吸引を開始する。これによって、図４(A) のように糸端Ｙｅが吸引ノズル８に吸引され、かつパッケージ表面からの垂れ糸の位置ｄが破線で示すように矢印Ｃ方向に移動しながらバンチ巻部Ｂの糸が解除されていく。
【００１７】
次いで、図４(B) のように、圧空供給管６の噴射ノズル７から圧縮空気を矢印ＪのようにパッケージＰの回転方向と逆方向に、かつパッケージＰの表層に略接線方向に向けて噴射する。この圧縮空気の噴射によって、パッケージ表層のバンチ巻部Ｂの糸条が剥離してループ状に弛緩状態になるので、このループ状の糸条ＹL は吸引ノズル８に吸引されて、図４(C) の状態になる。
【００１８】
図４(C) の状態では、吸引ノズル８に吸引されているループ状の糸条ＹL は、図３の場合と同様に、見掛け上、ボビン５と吸引ノズル８との間を走行する糸条Ｙb と表層のバンチ巻部Ｂと吸引ノズル８との間を走行する糸条Ｙa との２糸条が吸引され、しかもその吸引ノズル８には最初の糸端Ｙｅも吸引されているので、合計３本の糸条が吸引されているように見える。
【００１９】
この図４(C) の状態において、図４(D) のようにカッター１０を回動させることにより、ボビン５と吸引ノズル８との間を走行する糸条Ｙb と最初の糸端Ｙｅとを切断（溶断）し、バンチ巻部Ｂと吸引ノズル８との間を走行する糸条Ｙa だけを引き続き吸引ノズル８に吸引する。この吸引をパッケージＰを矢印Ｒ方向に回転させながら続行することによりバンチ巻部Ｂは剥脱され、その全てのバンチ巻部Ｂが剥脱された最後に正常な糸質の糸端が顕れる。以後は、図３の場合と同様にすればよい。
【００２１】
また、上述した実施例では、バンチ巻部を剥脱した後の正常な糸端をパッケージ表面に自由端として残すようにしたが、この糸端を特開平６−１１５８１６号公報に記載した糸端処理機構を装備することにより、自然解除しないように糸結びするようにしてもよい。
【００２２】
【発明の効果】
上述したように本発明によれば、巻糸体を回転させながらその回転方向とは逆方向に圧縮空気を吹き付けるため、たとえ糸端が巻糸体の側面に垂れていたり、或いはボビン端部に巻き付いた状態になっていても、バンチ巻部の糸条をループ状に剥離させ、このループ状に剥離した糸条を吸引ノズルに容易に吸い込むことができる。したがって、この吸引ノズルに吸い込まれている糸条のうち、巻糸体側面側に垂れた糸条を切断し、バンチ巻部から引き出される糸端だけを容易に糸出しするようにすることができる。
【図面の簡単な説明】
【図１】本発明の実施例からなる表面処理装置の側面図である。
【図２】同表面処理装置の正面図である。
【図３】  (A) 〜(E) は、本発明による満巻パッケージの表面処理工程を工程順に示す説明図である。
【図４】  (A) 〜(D) は、本発明による他の満巻パッケージの表面処理工程を工程順に示す説明図である。
【符号の説明】
１  ボビンホルダ
２  架台
５  ボビン
６  圧空供給管
７  噴射ノズル
８  吸引ノズル
１０  カッター
Ｐ  パッケージ
Ｂ  バンチ巻部
【図１】
0003834839.tif 000002
【図２】
0003834839.tif 000003
【図３】
0003834839.tif 000004
【図４】
0003834839.tif 000005